(57)【特許請求の範囲】
【請求項１】
給水本管から分岐し末端に給水栓が設けられた分岐配管に、分岐ジョイントを介して配管が接続されたスプリンクラ消火設備であって、
スプリンクラヘッドが取付けられ、両端部が前記分岐ジョイントに接続された送り用配管と戻り用配管からなるループ状の配管を有し、
前記送り用配管は少なくとも２本からなり、戻り用配管は１本からなり、
前記送り用配管と戻り用配管を一体的に形成したことを特徴とするスプリンクラ消化設備。
【請求項２】
前記分岐ジョイントは、
同方向に開口して設けられ、かつスプリンクラヘッドが取り付けられるループ状の配管の両端部がそれぞれ接続される３つの配管接続口と、該３つの配管接続口のうち送り用配管に接続されるエルボ状の第１の通水路と、３つの配管接続口のうち戻り用配管に接続されるエルボ状の第２の通水路とを備えたことを特徴とする請求項１記載のスプリンクラ消火設備。
【発明の詳細な説明】
【０００１】
【発明の属する技術分野】
本発明は、スプリンクラ消火設備及びこれに使用する器具に係り、特に、既設住宅にも設置が容易で取外しも簡単なスプリンクラ消火設備及びこれに使用する器具に関するものである。
【０００２】
【従来の技術】
従来、住宅用スプリンクラ消火設備は、水道の給水本管から鋼パイプからなる配管を分岐して配設し、この配管にスプリンクラヘッドを取付けていた。この住宅用スプリンクラ消火設備の配管内には給水本管からの水道水が充水されているが、流水させずに停滞させると、水垢や錆等が発生して給水配管へ混入するおそれがあるため、配管の末端に給水栓を設けて流水させるようにしている。
【０００３】
このような住宅用スプリンクラ消火設備は、その構造上、配管ロスを少なくするために、給水本管の水道メータに近いところから分岐して配管を取出す必要があり、また、給水本管に比べてスプリンクラヘッドを取付ける配管は管径が大きく、その上水道水の停滞を防止するため、水道水の送り用配管と、末端に設けた給水栓に接続される戻り用配管との２本の配管が必要であった。
【０００４】
【発明が解決しようとする課題】
従来の住宅用スプリンクラ消火設備は、上記のように構成されているので、室内の美観上、天井裏や壁内の隠蔽配管となっているため、既設住宅における後付け設置は費用が嵩み、事実上困難であった。また、やむを得ず後付け設置を行う場合も、鋼パイプからなる配管に結露及び凍結防止手段を施して配管カバーを被せるため太くなり、甚だ見苦しく、その上設備が不要になっても、簡単に取外すことができなかった。
【０００５】
本発明は、上記の課題を解決するためになされたもので、低価格で見映えがよく、既設住宅にも容易に設置することができ、その上不要になった場合は簡単に取外すことのできるスプリンクラ設備及びこれに使用する器具を得ることを目的としたものである。
【０００６】
【課題を解決するための手段】
（１）本発明は、給水本管から分岐し末端に給水栓が設けられた分岐配管に、分岐ジョイントを介して配管が接続されたスプリンクラ消火設備であって、スプリンクラヘッドが取付けられ、両端部が前記分岐ジョイントに接続された送り用配管と戻り用配管からなるループ状の配管を有し、前記送り用配管は少なくとも２本からなり、戻り用配管は１本からなり、前記送り用配管と戻り用配管を一体的に形成したものである。
【０００７】
（２）上記（１）の分岐ジョイントは、同方向に開口して設けられ、かつスプリンクラヘッドが取り付けられるループ状の配管の両端部がそれぞれ接続される３つの配管接続口と、該３つの配管接続口のうち送り用配管に接続されるエルボ状の第１の通水路と、３つの配管接続口のうち戻り用配管に接続されるエルボ状の第２の通水路とを備えた。
【００１２】
【発明の実施の形態】
［実施の形態１］
図１は本発明の実施の形態１に係る住宅用スプリンクラ消火設備を、既設住宅に後付けした状態を示す模式図である。
図において、１は住宅の床板５１の下に設置された水道の給水本管で、２は水道メータ、３は洗面所５への分岐配管４が接続された分岐管である。
【００１３】
１１は分岐配管４に設けた分岐ジョイント、２１は例えば可撓性を有する合成樹脂製の配管で、送り用配管２１ａと戻り用配管２１ｂとからなっている。３１ａ，３１ｂ，３１ｃは天井板５２に直接取付けられて配管２１が接続されたスプリンクラヘッド４１の取付具（以下、単に符号３１で表わすことがある）で、これらにより、住宅用スプリンクラ消火設備１０を構成する。５３は壁である。
以下、住宅用スプリンクラ消火設備１０を構成する各部材について、詳細に説明する。
【００１４】
図２は分岐ジョイント１１の一部断面図である。１２は例えば合成樹脂からなるほぼ筒状の本体で、側壁の上下方向には第１、第２の配管接続口１３ａ，１３ｂが同方向に開口して突設されており、本体１２内には第１の配管接続口１３ａに連通し、下端部に開口するほぼＬ字状（エルボ状）の第１の通水路１４ａと、第２の配管接続口１３ｂに連通し、上端部に開口するほぼＬ字状（エルボ状）の第２の通水路１４ｂとが、第１、第２の配管接続口１３ａ，１３ｂと直交して設けられている。
【００１５】
１５ａはめねじを有し、第１の通水路１４ａの開口部に設けられて分岐配管４の給水本管１側に接続される第１の接続口、１５ｂはめねじを有し、第２の通水路１４ｂの開口部に設けられて分岐配管４の給水栓６側に接続される第２の接続口である。なお、２２ａ，２２ｂは配管２１を構成する送り用配管２１ａと戻り用配管２１ｂの端部に設けられ、第１、第２の配管接続口１３ａ，１３ｂに接続される継手である。この継手２２ａ，２２ｂにはユニオン継手やワンタッチ継手を用いてもよく、あるいは熱溶着により接続してもよい。
継手２２ａ，２２ｂとしてユニオン継手などを用いるのは、配管２１を回転させずに配管２１と他の部材を接続することができるからである。従って、このような継手２２ａ，２２ｂを使用することで、送り用配管２１ａと戻り用配管２１ｂを一体にすることが可能となる。
【００１６】
図３は配管２１の構成を示す斜視図で、送り用配管２１ａと戻り用配管２１ｂを、可撓性を有する合成樹脂からなり、断面ほぼ楕円形状で、上下面が偏平なパイプケース２４内にスぺーサ２５を介して収容し、一体化したものである。なお、スぺーサ２５を省略し、送り用配管２１ａと戻り用配管２１ｂを長手方向に当接させてパイプケース２４内に収容してもよく、あるいは、パイプケース２４内に収納する代りに、両配管２１ａ，２１ｂの外周をビニールテープ等で巻回して一体化してもよい。さらに、スペーサ２５を省略して、両配管２１ａ，２１ｂとパイプケース２４との間に結露凍結防止用の断熱材を充填してもよい。
【００１７】
図４はスプリンクラヘッド４１の取付具３１の正面図及びその本体部３２の断面図である。この取付具３１は例えば金属材料により箱状に形成されており、本体部３２の両側面の上下方向には配管２１の接続口３３ａ，３３ｂ、３３ｃ，３３ｄが突設されて、継手２２ａ〜２２ｄを介して送り用配管２１ａ及び戻り用配管２１ｂがそれぞれ接続されている。３４は本体部３２の接続口３３ａ〜３３ｄが設けられた側面と直交する両側面の上端部に設けられたブラケットで、ねじ挿通孔（図示せず）を有し、取付具３１はこのねじ挿通孔に挿通した木ねじ４２等により天井板５２に取り付けられる。
【００１８】
この取付具３１の本体部３２内には、図４（ｂ）に示すように、下部には接続口３３ａ，３３ｃに連通し、送り用配管２１ａから送られた水道水の停滞防止効果を有する２つの円弧状の孔が中央で連通する第１の通水孔３５が設けられており、その連通部には、スプリンクラヘッド４１が取付けられるめねじ３７が設けられている。また、第１の通水孔３５の上方には、接続口３３ｂ，３３ｄに連通し、戻り用配管２１ｂから送られた水道水が通過する直線状の第２の通水孔３６が設けられている。
【００１９】
このように構成した取付具３１を、配管２１の折返えし部に設ける場合（図１の取付具３１ｃ）は、両接続口３３ｃ，３３ｄに、図４（ａ）に破線で示すようなＵ字管２３を連結すればよい。
【００２０】
図５は配管２１の折返えし部に設ける取付具３１の他の例を示すもので、本例においては、図４の取付具３１の一方の接続口３３ｃ，３３ｄを省略し、本体部３２内に設けた第１の通水孔３５と第２の通水孔３６を、本体部３２内においてＵ字状の通水孔３８により連通したものである。
【００２１】
次に、上記のような各部材からなる本実施の形態の、既設住宅への施工手順の一例について説明する。
（１）給水本管１の元栓を閉栓し、分岐配管４を分岐ジョイント１１に対応した間隔で切断して両端部におねじを設け、給水本管１側の分岐配管４の分岐ジョイント１１の第１の接続口１５ａに、また、給水栓６側の分岐配管４を分岐ジョイント１１の第２の接続口１５ｂに接続して、分岐ジョイント１１を分岐配管４に取付ける。
【００２２】
なお、分岐配管４に分岐ジョイント１１を取り付ける際、分岐配管４の長さを調節する必要がある場合には、例えば、図示しないニップル（異径ソケット）及び配管長調節手段としてのユニオン継手を用いて、配管の長さの調節を行う。即ち、切断されて上端側が切断面となった分岐配管４の上端側にユニオン継手を接続し、そしてその上部にニップルを接続する。また下端側が切断面となった分岐配管４とニップルの間に分岐ジョイント１１を設ける。このように接続してから、ユニオン継手の袋ナットを回転すれば、分岐ジョイント１１の位置合わせを行うことができ、分岐配管４に確実に取り付けることができる。
【００２３】
（２）天井板５２や壁５３などの所定の位置の室内側に、スプリンクラヘッド４１の取付具３１を木ねじ４２等により取付ける。この場合、配管２１の折返えし部には、図４に破線で示したＵ字管２３を両接続口３３ｃ，３３ｄに接続した取付具３１ｃを取付けるか、又は図５に示した取付具３１を取付ける。
【００２４】
（３）図３に示すような送り用配管２１ａと戻り用配管２１ｂがパイプケース２４に収容された配管２１を、壁５３や天井板５２の室内面に沿って配設し、送り用配管２１ａ及び戻り用配管２１ｂの一端を、継手２２ａ，２２ｂを介してそれぞれ分岐ジョイント１１の配管接続口１３ａ，１３ｂに接続すると共に、他端を継手２２ａ，２２ｂを介して取付具３１ａの接続口３３ａ，３３ｂに接続する。この場合、配管２１の折曲げ部にはエルボ（図示せず）を用いてもよい。
【００２５】
（４）同様にして、取付具３１ａと３１ｂの間及び取付具３１ｂと３１ｃとの間に、天井板５２の下面に沿って配管２１を配設し、その送り用配管２１ａを継手２２ａ，２２ｃを介して取付具３１ａ〜３１ｃの接続口３３ａ，３３ｃに接続すると共に、戻り用配管２１ｂを継手２２ｂ，２２ｄを介して取付具３１ａ〜３１ｃの接続口３３ｂ，３３ｄに接続する。なお、必要に応じて、止め金具等により配管２１を壁５３や天井板５２に固定する。
【００２６】
（５）最後に、各取付具３１に設けためねじ３７にスプリンクラヘッド４１のおねじを螺入して取付ける。
（６）以上により、スプリンクラ消火設備の施工が終ったときは、給水本管１の元栓を開栓し、水道水を充水する。
【００２７】
上記のように構成した本実施の形態においては、常時（監視時）は給水本管１からの水道水は、分岐配管４から分岐ジョイント１１の第１の通水路１４ａ、配管２１の送り用配管２１ａ、取付具３１ａ，３１ｂの第１の通水孔３５、折曲げ部に設置された取付具３１ｃの第１の通水孔３５からＵ字管２３（又はＵ字孔３８）経て、第２の通水路３６に至り、戻り用配管２１ｂ、取付具３１ｂ，３１ａの第２の通水孔３６を経て、分岐ジョイント１１の第２の通水路１４ｂから分岐管４及び給水栓６に至るループ状の管路に充水される。
【００２８】
上記のように構成され、水道水が充水されたスプリンクラ設備１０においては、常時は洗面所５の給水栓６（蛇口）を開放すると、ループ状の管路内に充水された水道水が給水栓６から放水されて使用に供されると共に、放水された水道水は常に給水本管１から補充される。
【００２９】
また、火災が発生すると、その火炎又は熱気流によりスプリンクラヘッド４１が作動して水道水を放水し、火災を消火する。このとき、水道水は給水本管１から、分岐配管４、分岐ジョイント１１、送り用配管２１ａを経て給水され、スプリンクラヘッド４１から間断なく放水される。
【００３０】
図６は本実施の形態に係るスプリンクラヘッド４１の取付具３１の他の例を示す正面図及び斜視図である。図４及び図５の例では、取付具３１の両側壁の上下方向（縦方向）に接続口３３ａ〜３３ｄを設けると共に、本体部３２内にこれに対応して水道水の停滞防止効果を有する第１の通水孔３５と、直線状の第２の通水孔３６を設け、接続口３３ａ，３３ｃに送り用配管２１ａを、接続口３３ｂ，３３ｄに戻り用配管２１ｂを接続する場合を示したが、本例は、本体部３２の両側壁の左右方向（横方向）に接続口３３ａ，３３ｂ、３３ｃ，３３ｄを設けたものである。
【００３１】
そして、本体部３２内に、接続口３３ａ，３３ｂに接続され、水道水の停滞防止効果を有する２つの円弧状の孔が中央部で連通し、その中央部にスプリンクラヘッド４１の取付部が設けられた第１の通水路３５を設けると共に、この第１の通水路３５の横方向に、接続口３５ｂ、３５ｄに連通する第２の通水路３６を設けたものである。
【００３２】
本例における取付具３１の天井板５２等への取付方法、配管２１の折返えし部の構造、配管２１の接続方法及び作用は、図４，図５で説明した取付具３１の場合とほぼ同様であるが、接続口３３ａ〜３３ｄを本体部３２の両側壁の横方向に設けたので、本体部３２の高さを低くすることができる。また、送り用配管２１ａ及び戻り配管２１ｂを偏平なパイプケース２４内に収容した配管２１を、幅方向を水平して設置することができるので、取付具３１及び配管２１の天井板５２等からの室内側への露出長を低くすることができる。
【００３３】
このように、本実施の形態に係るスプリンクラ消火設備は、簡単な構造で見映えがよく、既設の住宅にも容易に設置することができ、不要になったときは簡単に取外すことができる。なお、設備を取外したときは、分岐ジョイント１１を取外すことなくその配管接続口１３ａ，１３ｂにＵ字管を接続しておけばよい。
また、既設の給水栓と給水配管との間に配管２１を接続してループ状の管路を形成し、給水栓を開放することにより随時放水するようにしたので、水道水の管路内への停滞を防止することができる。
【００３４】
また、配管２１は送り用配管２１ａと戻り用配管２１ｂの２本をパイプケース２４内に収容して一体的に形成したので室内に露出して配管しても見映えがよく、このため既設の住宅に容易に設置することができる。また、敷設作業に要する時間を短縮することができ、不要になった場合の撤去も簡単である。
さらに、スプリンクラヘッド４１の取付具３１は箱状に形成され、その側面に配管２１の接続口３３ａ〜３３ｄを設けると共に、下面にスプリンクラヘッド４１の取付口を設け、天井板５２等に室内に露出した状態で取付けるようにしたので、配管２１及びスプリンクラヘッド４１の着脱がきわめて容易である。
【００３５】
［実施の形態２］
図７は本発明の実施の形態２の分岐ジョイントの一部断面図及び側面図である。
本実施の形態は、水道水の送り用配管を２本で構成し、火災発生時に消火に充分な水道水を供給してスプリンクラヘッド４１から放水しうるようにしたものである。
【００３６】
すなわち、図７に示すように、分岐ジョイント１１の本体１２の側壁の上下方向に、３個の配管接続口１３ａ，１３ｂ，１３ｃを設け、配管接続口１３ａ，１３ｃを第１の通水路１４ａに連通し、配管接続口１３ｂを第２の通水路１４ｂに連通して配管接続口１３ａ，１３ｃに継手２２ａ，２２ｃを介して送り用配管２１ａ、２１ｃをそれぞれ接続すると共に、配管接続口１３ｂに継手２２ｂを介して、戻り用配管２１ｂを接続したものである。
【００３７】
図８は本実施の形態に係る分岐ジョイント１１の他の例を示すもので、本例は図７の分岐ジョイント１１の第１の通水路１４ａに、水道水を通水又は遮断する開閉弁１６を設けたものである。
本例においては、常時は開閉弁１６を開放し、火災が発生してスプリンクラヘッド４１からの水道水を散水して消火したときは、開閉弁１６を閉じてスプリンクラヘッド４１からの散水を中止するようにしたものである。なお、本例は図２で説明した実施の形態１の分岐ジョイント１１にも実施することができる。
【００３８】
また、本実施の形態においては、図９（ａ）に示すように、送り用の２本の配管２１ａ，２１ｃと戻り用の１本の配管２１ｂとを、スペーサ２５を介して、又は長手方向に当接させて偏平なパイプケース２４内に収容し、配管２１を構成したものである。
【００３９】
さらに、図９（ｂ）に示すように、断面四角形の２本の送り用の配管２６ａ，２６ｃと、戻り用の１本の配管２６ｂを、断面四角形の偏平なパイプケース２７内に収容し、配管２６ａ〜２６ｃの間及び配管２６ａ〜２６ｃとパイプケース２７との間に、結露及び凍結防止用の断熱材２８を充填して構成した配管２１を使用してもよい。
なお、図９（ａ）のスペーサ２５に代えて断熱材２８を充填してもよく、また、図９（ｂ）の断熱材２８に代えてスペーサ２５を配設し、あるいは、断熱材２８、スペーサ２５を省略して配管２６ａ〜２６ｃを長手方向に当接させてパイプケース２７内に収容してもよい。さらに、送り用配管２１ａ，２１ｃ、２６ａ，２６ｃを２本設けた場合を示したが、３本以上としてもよい。
【００４０】
このように、送り用配管２１ａ，２１ｃ、２６ａ，２６ｃを２本以上とすることで、スプリンクラヘッド４１の動作時に十分な消火水を供給できると共に、１本の送り用配管が火災により、燃焼したとしても、残りの１本の送り用配管によってスプリンクラヘッド４１に確実に給水することができる。
【００４１】
次に、本実施の形態に使用するスプリンクラヘッド４１の取付具３１は、図示してないが、例えば、図６に示すような箱状の本体部３２の両側壁にそれぞれ３個の接続口を設け、２本の送り用配管が接続される停滞防止効果を有する通水孔を合流させてその中央部下面にスプリンクラヘッド４１の取付部を設け、２本の送り用配管から送られた水道水の合計水量がスプリンクラヘッド４１から散水されるように構成すればよい。なお、送り用配管が２本になった場合の取付具３１は、通水孔が合流するので、水の流れに攪拌作用が生じやすく、死水の停滞防止効果が大きい。
【００４２】
本実施の形態に係るスプリンクラ消火設備の施工方法及び作用は、実施の形態１の場合とほぼ同様であるが、本実施の形態は送り用配管２１ａ，２１ｃを２本又はそれ以上設けるようにしたので、火災発生時にスプリンクラヘッド４１から多量の水道水を散水できるため、火災を早期に消火することができる。なお、スプリンクラヘッド４１の取付具３１は、図４，図５に示すように、本体部３２の両側壁の上下方向に接続口３３ａ〜３３ｄを設けたものも使用できるが、天井板５２等から室内への露出長を低くするためには、前述の横方向に接続口３３ａ〜３３ｄを設けた取付具３１を使用することが望ましい。
【００４３】
［実施の形態３］
実施の形態１では、分岐ジョイント１１を洗面所の分岐配管４に設けて、この分岐ジョイント１１に配管２１を接続した場合を示したが、本実施の形態は、例えば図１０に示すように、便器７の近傍に設けた水槽８の給水管９に分岐ジョイント１１を設け、あるいは、図１１に示すように、随所に設けられている水道の給水栓６の給水管９に分岐ジョイント１１を設けたものである。
このように、本発明に係るスプリンクラ消火設備に使用される分岐用ジョイント１１は、給水栓を有するところであれば、任意の場所に取付けて配管２１を接続できるので、きわめて便利である。
【００４４】
上記の説明では、本発明に係るスプリンクラ消火設備を、既設の住宅に設置する場合について述べたが、新築の住宅にも設置しうることは言う迄もない。この場合は、スプリンクラヘッドの取付具を天井裏に取付け、この取付具に天井板に設けた開口部からスプリンクラヘッドを挿入して、一部が室内に突出した状態で取付け、分岐ジョイントに接続した配管をそのままの状態で、又はパイプケースに収容して壁の中や天井裏に配管すればよい。
【００４５】
また、本発明のスプリンクラヘッドの取付具、分岐ジョイント及び送り用配管と戻り用配管を一体にした配管は、住宅用のスプリンクラ消火設備だけでなく、ビルなどに設備されている通常のスプリンクラ消火設備にも適用することができる。この場合には、給水栓の代わりには末端試験弁が設けられる。
なお、分岐ジョイントは、第１の通水路及び第２の通水路と、配管接続口とが直交する場合で説明したが、分岐ジョイントは、第１の接続口（第１の通水路）と第２の接続口（第２の通水路）とがほぼ直線状に位置するように設けられ、配管接続口はこの直線に所定の角度をもって設けられていればよい。また、第１、第２（及び第３）の配管接続口が同方向に開口する場合を示したが、異なる方向に開口するようにしてもよい。
【００４６】
また、下部に火災時に落下する保護カバーが装着されたスプリンクラヘッドを取付具に取付けてもよく、これにより、スプリンクラヘッドに外力が加えられても感知部等の破損を防止することができる。
さらに、上記の保護カバーに、火災によって保護カバーが落下したときに作動するスプリンクラヘッドの動作検出手段を設け、この動作検出手段の出力信号を例えば警報装置に送信するように構成し、火災の発生により保護カバーが落下したときは警報を発するようにしてもよい。
【００４７】
【発明の効果】
（１）本発明は、給水本管から分岐し末端に給水栓が設けられた分岐配管に、分岐ジョイントを介して配管が接続されたスプリンクラ消火設備であって、スプリンクラヘッドが取付けられ、両端部が前記分岐ジョイントに接続された送り用配管と戻り用配管からなるループ状の配管を有し、前記送り用配管は少なくとも２本からなり、戻り用配管は１本からなり、前記送り用配管と戻り用配管を一体的に形成したので、
配管の敷設に要する作業時間を短縮することができ、また、不要になった場合の取り外しも容易である。さらには、火災発生時にスプリンクラヘッドから多量の水道水を散水することができ、早期に消化することができる。
【００４８】
（２）上記（１）の分岐ジョイントは、同方向に開口して設けられ、かつスプリンクラヘッドが取り付けられるループ状の配管の両端部がそれぞれ接続される３つの配管接続口と、該３つの配管接続口のうち送り用配管に接続されるエルボ状の第１の通水路と、３つの配管接続口のうち戻り用配管に接続されるエルボ状の第２の通水路とを備えたので、
分岐配管への分岐ジョイントの取付け及び分岐ジョイントへの配管の接合がきわめて容易であり、また、不要になったときは配管を外して配管接続口をＵ字管で接続するだけで、給水本管と給水栓側を接続することができる。このため、既設の住宅にも後付けによりスプリンクラ消火設備を容易に設置することができる。
【図面の簡単な説明】
【図１】本発明の実施の形態１に係るスプリンクラ消火設備を既設住宅に後付けした状態を示す模式図である。
【図２】図１の分岐ジョイントの一部断面図である。
【図３】図１の配管の斜視図である。
【図４】図１のスプリンクラヘッドの取付具の正面図及びその本体部の縦断面図である。
【図５】スプリンクラヘッドの取付具の他の例の正面図及びその本体部の縦断面図である。
【図６】スプリンクラヘッドの取付具のさらに他の例の正面図及び斜視図である。
【図７】本発明の実施の形態２に係るスプリンクラ消火設備の分岐ジョイントの一部断面図及び側面図である。
【図８】実施の形態２の分岐ジョイントの他の例の正面図である。
【図９】実施の形態２の配管の斜視図及び配管の他の例の斜視図である。
【図１０】本発明の実施の形態３の要部の説明図である。
【図１１】本発明の実施の形態３の要部の他の例の説明図である。
【符号の説明】
１  給水本管
４  分岐配管
６  給水栓
１０  スプリンクラ消火設備
１１  分岐ジョイント
１３ａ  第１の配管接続口
１３ｂ  第２の配管接続口
１４ａ  第１の通水路
１４ｂ  第２の通水路
１５ａ  第１の接続口
１５ｂ  第２の接続口
１６  開閉弁
２１  配管
２１ａ  送り用配管
２１ｂ  戻り用配管
２４  パイプケース
３１  スプリンクラヘッドの取付具
３３ａ〜３３ｄ  配管の接続口
３５  第１の通水孔
３６  第２の通水孔
４１  スプリンクラヘッド
【図１】
0003937379.tif 000002
【図２】
0003937379.tif 000003
【図３】
0003937379.tif 000004
【図４】
0003937379.tif 000005
【図５】
0003937379.tif 000006
【図６】
0003937379.tif 000007
【図７】
0003937379.tif 000008
【図８】
0003937379.tif 000009
【図９】
0003937379.tif 000010
【図１０】
0003937379.tif 000011
【図１１】
0003937379.tif 000012